(57)【要約】【課題】  保管ケースを設置するのに適した壁面や天板などがないような場所においても、当該保管ケースを着脱式で安定かつ確実に固定設置することが可能な保管ケース設置用のスタンドを提供すること。【解決手段】  正面視略門型の脚フレームと、外形が略口字状をなす脚フレーム１，２を、側面から見て大略Ｘ状をなすように交叉させて配し両脚フレーム１，２の交点を枢着しその枢着軸３において前記両脚フレーム１，２を開閉可能に形成すると共に、少なくとも一方の脚フレーム１の下端部をベースプレート４の一側に支持させ、開いた他方の脚フレーム２の下端部に前記ベースプレート４の他側を着脱可能に取付ける一方、当該両脚フレーム１，２の上部には、少なくとも他方の脚フレーム２の上端部に、保管ケースSCの取付けブラケット７の一側を支持させると共に、一方の脚フレーム１の上端部に前記取付けブラケット７の他側部を着脱可能に取付けるようにした。【選択図】図１
2011003999.tif 000002
【特許請求の範囲】
【請求項１】
正面視略門型の脚フレームと、外形が略口字状をなす脚フレームとを、側面から見て大略Ｘ状をなすように交叉させて配し両フレームの交点を枢着しその枢着軸において前記両脚フレームを開閉可能に形成すると共に、少なくとも一方の脚フレームの下端部をベースプレートの一側に支持させ、開いた他方の脚フレームの下端部に前記ベースプレートの他側を着脱可能に取付ける一方、当該両脚フレームの上部には、少なくとも他方の脚フレームの上端部に、保管ケースの取付けブラケットの一側を支持させると共に、一方の脚フレームの上端部に前記取付けブラケットの他側部を着脱可能に取付けるようにしたことを特徴とする保管ケース用設置スタンド。
【請求項２】
２個の脚フレームは、閉じたとき一方の脚フレームの内側に他方の脚フレームが収まる脚フレーム形態にした請求項１の保管ケース用設置スタンド。
【請求項３】
一方の脚フレームの下端部に折畳み可能に設けられたベースプレートは、折畳み時に当該一方の脚フレームの平面内にほぼ収まる外形状に形成した請求項１又は２の保管ケース用設置スタンド。
【請求項４】
他方の脚フレームの上部に折畳み可能に設けられた取付ブラケットは、折畳み時に当該他方の脚フレームの平面内に収まる外形状に形成した請求項１〜３のいずれかの保管ケース用設置スタンド。
【請求項５】
脚フレームに折畳み可能に設けられたベースプレートや取付けブラケットは、組立たてたときその組立状態を固定するための操作グリップ付きボルトなどによる固定手段を具備した請求項１〜４のいずれかの保管ケース用設置スタンド。
【請求項６】
保管ケースの取付ブラケットには、当該保管ケースをそのブラケットに固定するため操作グリップ付きボルトなどによる固定手段を具備した請求項１〜５のいずれかの保管ケース用設置スタンド。
【発明の詳細な説明】
【技術分野】
【０００１】
本発明は情報をストレージできる携帯電話機（以下単に「携帯電話」という。）などの携帯デバイスの保管ケースを着脱自在に取付けることができる設置スタンドに関する。
【背景技術】
【０００２】
本発明の発明者らは先に、特許文献１や同２などにより、携帯電話を代表とする移動体通信サービスの端末、デジタル音楽プレイヤー、PDA（携帯情報端末）などのように、情報をストレージできる携帯デバイスの複数台を、同時に保管できるケースを提案している。
【０００３】
かかる保管ケースを必要とする理由は、例えば、携帯電話の場合、その情報ストレージ機能にカメラ機能やインターネット機能が付加されているため、社内情報の持出しや漏洩が懸念され、現実にそのような問題が発生しているからである。
【０００４】
また、実際に自分の携帯デバイスに社内情報を格納し、自社のパソコン（パーソナルコンピュータ、以下、同じ）に転送したところ、当該パソコンにインストールされているファイル交換ソフトやファイル共有ソフトなどが作用して、前記社内情報が外部に漏洩しインターネット上を浮遊していることも報告されている。
【０００５】
上記のような事情に鑑みた本発明の発明者らは、情報のストレージが可能な、例えば私用の携帯電話について、社員が出社したとき、或は、外来の訪問者が入場（入室）するときなど、一時的にその携帯電話を会社や部署などの入口の手前で預かって保管し、本人が退場（退室）するとき先に預かって保管していた携帯電話を返還することによって、社内情報などの内部情報が外部へ漏洩することがないように形成した保管ケースを前記特許文献１などにより提案したのである。
【０００６】
しかし、先に提案した保管ケースは、壁掛式（壁に固定）のものと机の天板上などへ載置する設置形態であったため、当該保管ケースを設置したい場所に、その保管ケースを設置するための適切な壁や天板が無い場所、例えば、野営地や艦船などの船舶などでは、臨時的に保管ケースを設置するためのテーブルを、野営地入口や乗船タラップ近傍などに置いてその天板上に保管ケースを設置したりしているが、本来的な設置態様（例えば、壁や天板などに固定する）ではないため、預かり保管の運用面や預かった携帯デバイスの管理面において、不具合や不都合も生じている。即ち、仮置き態様の保管ケースが転倒したり、天板の上から滑り落ちたりすると、預っている携帯デバイス自体に不具合や故障などが生じないとも限らないからである。
【先行技術文献】
【特許文献】
【０００７】
【特許文献１】特開２００８−６６８９０号
【特許文献２】特願２００８−４９１８１号
【発明の概要】
【発明が解決しようとする課題】
【０００８】
本発明は、上記のような携帯デバイス用保管ケースの設置状況の問題点に鑑み、保管ケースを設置するのに適した壁面や天板などがないような場所においても、当該保管ケースを着脱式で安定かつ確実に固定設置することが可能な保管ケース設置用のスタンドを提供することを、その課題とする。
【課題を解決するための手段】
【０００９】
上記課題を解決することを目的としてなされた本発明設置スタンドの構成は、正面視略門型の脚フレームと、外形が略口字状をなす脚フレームとを、側面から見て大略Ｘ状をなすように交叉させて配し両フレームの交点を枢着しその枢着軸において前記両脚フレームを開閉可能に形成すると共に、少なくとも一方の脚フレームの下端部をベースプレートの一側に支持させ、開いた他方の脚フレームの下端部に前記ベースプレートの他側を着脱可能に取付ける一方、当該両脚フレームの上部には、少なくとも他方の脚フレームの上端部に、保管ケースの取付けブラケットの一側を支持させると共に、一方の脚フレームの上端部に前記取付けブラケットの他側部を着脱可能に取付けるようにしたことを特徴とするものである。
【００１０】
本発明は上記構成において、２個の脚フレームは、閉じたとき一方の脚フレームの内側に他方の脚フレームが収まる脚フレーム形態をとることにより、脚フレームの折畳み状態を嵩ばらないコンパクトな状態にすることができる。
【００１１】
また、一方の脚フレームの下端部に折畳み可能に設けられたベースプレートは、折畳み時に他方の脚フレームの平面内にほぼ収まる外形状に形成したものである一方、他方の脚フレームの上部に折畳み可能に設けられた取付ブラケットは、折畳み時に当該他方の脚フレームの平面内に収まる外形状にすることが好ましい。こうすることにより折畳み時の本発明スタンドが嵩張ることのないコンパクトな折畳みは状態を実現することができる。
【００１２】
本発明において、保管ケースの取付ブラケットには、当該保管ケースをそのブラケットに固定するため操作グリップ付きボルトなどによる固定手段が具備されている。また、両方の脚フレームとそれらの脚フレームに折畳み可能に設けられたベースプレートや取付けブラケットは、組立たてたときその組立状態を固定するための操作グリップ付きボルトなどによる固定手段を具備している。
本発明スタンドは上記のような固定手段を備えていることにより、特別な工具などを用いることなく、組立て，折畳みの各操作を行うことができて便利である。
【発明の効果】
【００１３】
本発明では、正面視略門型乃至口字状をなす脚フレームの２個を、側面から見て大略Ｘ状をなすように交叉させて配し両フレームの交点を枢着してその枢着軸において前記両脚フレームを開閉可能に形成すると共に、少なくとも一方の脚フレームの下端部をベースプレートの一側に取付け、開いた他方の脚フレームの下端部を前記ベースプレートの他側に着脱可能に支持させる一方、当該両脚フレームの上部には、少なくとも一方の脚フレームの上端部に、保管ケースの取付けブラケットの一側を取付けると共に、他方の脚フレームの上端部に前記取付けブラケットの他側部を着脱可能に支持させて携帯デバイス保管用ケースの設置スタンドに構成したから、船舶や野営地など、携帯デバイス用保管ケースを固定的に設置できる箇所（壁や天板など）がない場所においても、工場や部屋の入口などに設置される保管ケースと同様に、携帯電話などの携帯デバイスを安定かつ安全に預って保管することができる。
【００１４】
また、本発明スタンドは、折畳み，組立て自在の構造であって、折畳み時に全体が脚フレームの枠内に収まるように形成されているので、運搬や保管を省スペース的に行うことができ、従って、携帯デバイスを預って保管すべき任意の場所へ、保管ケースと本発明設置スタンドを持込めば、そこで容易かつ迅速に保管ケースとその設置スタンドを一体化するように組立てて設置し、携帯デバイスの預り保管業務を行うことができて便利であり、かつ、有用性も高い。
【図面の簡単な説明】
【００１５】
【図１】本発明設置スタンドの一例の側面図。
【図２】図１の本発明設置スタンドの正面図。
【図３】図１，図２の設置スタンドにおける他方の脚フレームとベースプレートの結合状態を説明する要部の拡大側断面図。
【図４】図１，図２の設置スタンドにおける一方の脚フレームとベースプレートの結合状態を説明する要部の拡大側断面図。
【図５】ベースプレートと他方の脚フレームのロック機構の例を示す要部の拡大側断面図。
【図６】本発明スタンドの脚フレームと取付ブラケットの関係を説明するための要部の拡大側面図。
【発明を実施するための形態】
【００１６】
次に本発明設置スタンドの実施の形態例について図を参照して説明する。
図１，図２において、１は正面視大略門型をなすように丸線材（丸パイプや角パイプでもよい）で形成した一方の脚フレーム、２は前期脚フレーム１の内側に収まってしまう大きさに形成した正面視略口字状の他方の脚フレームである。
【００１７】
本発明では、２つの脚フレーム１，２が、上部寄りおいてＸ状にクロスする（一方のフレーム１の内側に他方のフレーム２が配置される）ように配置し、その交点を水平な軸３により枢着している。なお、枢着軸３は脚フレーム１，２の左右の部材間を貫通したタイプが望ましいが、左右で独立したビス等の軸であってもよい。
【００１８】
軸３によりクロス状に枢着された２つの脚フレーム１，２は、一方の脚フレーム１の下端が、ベースプレート４の一側の端面（図１の左側）に、図４に詳細を示す態様で枢支されている。上記実施例において、脚フレーム１の内側に収まる形状の脚フレーム２は、この例では、略口字状であるが、本発明では、脚フレーム２をパンチングメタルなどの板材により略口字状に外形を持つパネル状に形成してもよい。この場合、外枠は、板材の縁を曲げて形成したり、パイプ材の枠を取付けるようにしてもよい。
【００１９】
ベースプレート４は、ここでは全体を浅い箱状（天板面4a<上面4aともいう>が平坦面で底面開放態様）に形成したものであり、図４に示すように、このプレート４の側面壁4bに、脚フレーム１の下端のＬ字状部1aが、ブッシュ1bやカラー1cを介して回転自在に枢支されている。1dは、Ｌ字状部1aに取付けた抜止め用の割りピンである。脚フレーム１の下端部は、左右とも、図４に示す態様でベースプレート４の側端面に枢支されている。なお、ベースプレート４の下面四隅には、アジャスタ機能を付きの受足4cが配設されている。また、ベースプレート４の材質は、スチールやアルミなどの金属製やプラスチック製、或は、や木製若しくはこれらの複合材料など、いずれであってもよい。
【００２０】
略口字状をなす他方の脚フレーム２は、その下端の水平辺2aがベースプレート４における脚フレーム１の非枢支側の側端部近くの上面4aに設けた凹状をなす当該フレーム２の水平辺2aを受けて支持するための受けブロック５の溝部5aに支持されるように形成されている（図３も参照）。
【００２１】
前記ブロック５の溝部5aの内面には、脚フレーム２の水平部2aを保持するための球状突起5bが設けられているので、節度感を以て水平部2aを溝部5aに嵌入して保持することができるが、念のため、図５に例示するロック機構６がベースプレート４の上面4aに設けられている。
【００２２】
ロック機構６は、ベースプレート４の上面4aに垂設した押えバネ6aを備えたボルト6bに、側断面階段状のロック金具6cの根元部を回転可能に枢支させ、この金具6cの先端つまみ61cを掴んで脚フレーム２の水平部からこの金具6cの押え部62cを、前記フレーム２の水平部2aの上に位置付けたり（ロック）、そこから外したり（アンロック）する回転操作によって、ロック機構として機能するように形成されている。なお、本発明設置スタンドにおける脚フレーム２の上記ロック機構は６一例であって、使用できるロック機構は上記例に限られるものではない。
【００２３】
上記のようにしてベースプレート４の上に組立てられる２つの脚フレーム１，２の上端部には、詳細な説明は省略するが携帯電話などのデバイスを保管するための保管ケースSCを取付け固定するための取付けブラケット７が設けられているので、以下、取付けブラケット７について図６を中心にして説明する。
【００２４】
図６において、取付ブラケット７は、側面から見て横倒した大略Ｌ字状を呈する板状部材により形成されており、このブラケット７は図６の左端部で、他方の脚フレーム２の上部水平辺2bを抱持する態様で枢支している。7aはその枢支部である。一方、このブラケット７の図６における右側は、水平部7bから立上った立壁部7cを有し、その上端部が逆凹状に曲げられて、一方の脚フレーム１における上部水平辺1eを抱持する支持部7dに形成されている。この支持部7dには、脚フレーム１の上部水平辺1eから支持部が勝手に離脱することがないように、ロックボルト7eが設けられている。
【００２５】
上記取付ブラケット７の水平部7bの下面には、保管ケースSCの底壁に螺合されて当該ケースSCをこのスタンドに固定するための固定ボルト８が水平部7bの四隅近傍に４本設けられている。操作ツマミ8aを備えた各固定ボルト８は、各ボルト８に対応して水平部7bに設けたボルト受け９に装着されており、水平部7ｂの上面に露出した当該ボルト８の先端部が保管ケースSCの底壁に形成されているボルト穴（図に表われず）に螺合されることにより、当該ケースSCを取付ブラケットの水平部7aに密着固定することができる。
【００２６】
保管ケースSCは、一例として、図１，図２に例示するように、横長の一つの筐体に複数台（図の例では10台）の携帯電話を１台ずつ収納できる、個々に錠付きの複数の収納区画を備えており、預った携帯電話を空いている収納区画に収容して携帯電話が取出せないように施錠し、その鍵を携帯電話の持主本人に渡すなどして運用する点は、先に特許文献１，２などにより、本発明者が提案している保管ケースと同様の運用がなされる。
【００２７】
上記のように組立てて保管ケースSCを装備して使用された本発明設置スタンドを分解するには、まず固定ボルト８を緩めて保管ケースSCを取付けブラケット７から外し、当該ブラケット７を、その枢支部7aにおいて、脚フレーム２の上部辺を軸にして、図１の反時計回り方向に回転して折畳む。次いで、脚フレーム２の下端部の水平辺2aからロック機構６の作用を解除し、受けブロック５から当該フレーム２の水平辺2aを浮かせて外す。
このとき、ベースプレート４を、脚フレーム１の下端側面の枢支部において反時計回り方向に回転させて当該脚フレーム１に沿って起立させると共に、受けブロック５から浮かせていた脚フレーム２の下半側をその枢着点３において脚フレーム１の側に回転させることにより、２つの脚フレーム１，２が折畳まれると共に、そのフレーム１，２の内側に取付ブラケット７とベースプレート４とが嵩張ることなくほぼ収まった形態で折畳まれることになる。
【産業上の利用可能性】
【００２８】
本発明は以上の通りであって、正面視略門型乃至口字状をなす脚フレームの２個を、側面から見て大略Ｘ状をなすように交叉させて配し両フレームの交点を枢着しその枢着軸において前記両脚フレームを開閉可能に形成すると共に、少なくとも一方の脚フレームの下端部をベースプレートの一側に支持させ、開いた他方の脚フレームの下端部に前記ベースプレートの他側を着脱可能に取付ける一方、当該両脚フレームの上部には、少なくとも一方の脚フレームの上端部に、保管ケースの取付けブラケットの一側を支持させると共に、他方の脚フレームの上端部に前記取付けブラケットの他側部を着脱可能に取付けるようにして携帯デバイス用保管ケースの設置スタンドを形成したから、保管ケースを設置するのに適した壁面や天板などがないような場所においても、当該保管ケースを着脱式で安定かつ確実に固定設置することが可能になるので、実用上きわめて有用である。
【符号の説明】
【００２９】
１，２    脚フレーム
３        軸
４        ベースプレート
５        受けブロック
６        ロック機構
７        取付ブラケット
８        固定ボルト
SC        保管ケース-
【図１】
2011003999.tif 000003
【図２】
2011003999.tif 000004
【図３】
2011003999.tif 000005
【図４】
2011003999.tif 000006
【図５】
2011003999.tif 000007
【図６】
2011003999.tif 000008